(57)【要約】【課題】可撓性材料を使用せずに、重なって配置搬送されるコインを安定に除くことができるコイン計数装置の案内ブレードを提供する。【解決手段】円盤の表面に周縁に沿った円環状をなす環状溝（凹陥部２３２）を形成し、この環状溝２３２にコイン３００を格納する格納スロット２３４を形成し、格納スロット２３４に格納されているコイン３００を計数手段２６に運ぶ回転円盤２３を有するコイン計数装置２に用いられ、コイン３００を一枚ずつ計数手段２６に送る案内ブレード３であって、先端３１が回転円盤２３の回転方向と逆向きに延びる先細に形成されるとともに、回転円盤２３の環状溝２３２の内側縁（内壁面２３３）に配置され、峯部３２には、コイン３００進行方向に沿って順番に、凹陥による段差部３５と、回転円盤２３の表面との間に一枚のコイン３００だけを通過可能な隙間Ｓを有する阻止ブロック３３と、が設けられている。【選択図】図２
0003142014.tif 000002
【実用新案登録請求の範囲】
【請求項１】
円盤の表面に周縁に沿った円環状をなす環状溝を形成し、この環状溝にコインの一面と向き合って該コインを格納する少なくとも１つの格納スロットを形成し、回転しながら前記格納スロットに格納されているコインを計数手段に運ぶ回転円盤を有する搬送手段を備えたコイン計数装置に用いられ、前記搬送手段により運ばれてくるコインを一枚ずつ前記計数手段に送る案内ブレードであって、
先端が前記回転円盤の回転方向と逆向きに延びる先細に形成され、前記回転円盤により運ばれてきたコインを、その峯部に乗せて転がり通過させることができるように、前記回転円盤の環状溝の内側縁に配置され、前記峯部には、コイン進行方向に沿って順番に、凹陥による段差部と、前記回転円盤の表面との間に一枚のコインだけを通過可能な隙間を有する阻止ブロックと、が設けられたことを特徴とするコイン計数装置の案内ブレード。
【請求項２】
前記段差部より先端の部分は、コインが転がるブレードの峯部の幅を一枚のコインの厚さより僅かに細く形成され、峯部の側面は、下へ傾斜する斜面をなすよう形成されていることを特徴とする請求項１に記載のコイン計数装置の案内ブレード。
【請求項３】
前記段差部より阻止ブロック側の部分は、峯部の側面を下へ傾斜する斜面となるように形成され、かつ、前記峯部の幅は、前記阻止ブロック側に向けて徐々に広がるとともに前記斜面が緩やかな曲面に形成されていることを特徴とする請求項１に記載のコイン計数装置の案内ブレード。
【請求項４】
前記斜面は、下端縁が円弧状に形成されていることを特徴とする請求項２または請求項３に記載のコイン計数装置の案内ブレード。
【考案の詳細な説明】
【技術分野】
【０００１】
本考案はコイン計数装置のコイン案内ブレードに関し、特に、重なって搬送されるコインを除いて一枚ずつコイン数を計算する計数手段に送る案内ブレードに関する。
【背景技術】
【０００２】
図１は従来のコイン計数装置の一例の要部構成の略示図である。
図示のように、従来のコイン計数装置は、計数手段１８と、この例では反時計方向に回転してコインを搬送して計数手段１８を通過させる円形回転盤１３と、円形回転盤１３の周縁部の計数済みコインが排出されるコイン出口１２と、円形回転盤１３によって重なって搬送される余分なコインを除く掻き分け手段１５とを備えている。なお、計数するコインを収容するため、円形回転盤１３の外周には、更にコインを収容する空間を囲む環状フェンスが設けられているが、図中では省略している。
【０００３】
円形回転盤１３は、盤面の環状溝１３２に複数の仕切りスタッド１３５，１３５…が規則的に設けられ、この仕切りスタッド１３５，１３５…により区画された複数の格納スロット１３４，１３４…が形成されている。そして、円形回転盤１３の回転により、各格納スロット１３４，１３４…内に位置するコインが計数手段１８を通過される。
【０００４】
掻き分け手段１５は、円形回転盤１３からコインを確実に一枚ずつ計数手段１８及びコイン出口１２に送るためのもので、円形回転盤１３の上端部に対応して配置される掻き分けプレート１５１と、計数手段１８の手前に配置される掻き分けロッド１５２及び案内ブレード１５３とからなる。
【０００５】
掻き分けプレート１５１は可撓性を持つ樹脂材料からなり、円形回転盤１３の盤面とコイン一枚の厚さ以上かつ２枚の厚さ未満の、一枚分のコインだけを通過可能な隙間を有するように配置されている。そのため、２枚以上重なっている場合には、この掻き分けプレート１５１に阻まれて、隙間を通れない上側のコインは一番下のコイン上から掻き除かれる。
【０００６】
掻き分けロッド１５２は可撓性を持つ金属材料、例えば銅からなり、計数手段１８の手前から円形回転盤１３の回転方向に沿いながら斜め下方に延伸し、かつ、掻き分けプレート１５１と同様に、円形回転盤１３の盤面と一枚分のコインだけを通過可能な隙間を有するように配置されている。そのため、掻き分けプレート１５１と掻き分けロッド１５２の間にあり、格納スロット１３４に入れなかったコインが紛れて計数手段１８及びコイン出口１２に入ることを防ぐことができる。
【０００７】
案内ブレード１５３は、コインを一枚ずつ通す形状をなし、一部が環状溝１３２の内周に沿うように、コイン出口１２から計数手段１８の外側まで延伸している。そして、その先端は、円形回転盤１３の回転方向と逆向きな先細に形成され、尖った先端部１５４が環状溝１３２の内周と略接線をなすような斜面に形成されている。これにより、円形回転盤１３の格納スロット１３４により運ばれてきたコインを、その上端面に掬い取るようにして転がり通過させることができる。また、斜面した先端部１５４により、掻き分けロッド１５２に阻まれたコインを盤面に沿って円形回転盤１３の下方へ滑るよう案内することができる。
【考案の開示】
【考案が解決しようとする課題】
【０００８】
前記従来のコイン計数装置では、可撓性を持つ材料で形成された掻き分けプレート１５１と掻き分けロッド１５２とにより、コインが確実に一枚ずつ計数手段１８及びコイン出口１２に送られることによって、正確な計数結果が確保される。しかし、掻き分けプレート１５１と掻き分けロッド１５２の間の空間が大量のコインによって詰る事態が発生すると、コイン計数装置自体は、一時的には正常に作動するが、掻き分けロッド１５２やコイン出口１２が重ったコインによって壊れる可能性がある。
【０００９】
そのうえ、掻き分けプレート１５１と掻き分けロッド１５２は、経時的に材料の疲労によって壊れても、すぐに察知して対応することができないため、間違った計数結果をもたらす欠点を有する。
【００１０】
従って、本考案は可撓性を有する材料を使用せずに、重なって搬送されるコインを安定して除くことができるコイン計数装置の案内ブレードを提供することを課題とする。
【課題を解決するための手段】
【００１１】
前記課題を解決するために、本考案は、円盤の表面に周縁に沿った円環状をなす環状溝を形成し、この環状溝にコインの一面と向き合って該コインを格納する少なくとも１つの格納スロットを形成し、回転しながら前記格納スロットに格納されているコインを計数手段に運ぶ回転円盤を有する搬送手段を備えたコイン計数装置に用いられ、前記搬送手段により運ばれてくるコインを一枚ずつ前記計数手段に送る案内ブレードであって、先端が前記回転円盤の回転方向と逆向きに延びる先細に形成され、前記回転円盤により運ばれてきたコインを、その峯部に乗せて転がり通過させることができるように、前記回転円盤の環状溝の内側縁に配置され、前記峯部には、コイン進行方向に沿って順番に、凹陥による段差部と、前記回転円盤の表面との間に一枚のコインだけを通過可能な隙間を有する阻止ブロックと、が設けられたことを特徴とするコイン計数装置の案内ブレードを提供する。
【００１２】
前記コイン計数装置の案内ブレードにおいて、前記段差部より先端の部分は、コインが転がるブレードの峯部の幅を一枚のコインの厚さより僅かに細く形成され、峯部の側面は、下へ傾斜する斜面をなすよう形成されていることが好ましい。
【００１３】
または、前記コイン計数装置の案内ブレードにおいて、前記段差部より阻止ブロック側の部分は、峯部の側面を下へ傾斜する斜面となるように形成され、かつ、前記峯部の幅は、前記阻止ブロック側に向けて徐々に広がるとともに前記斜面が緩やかな曲面に形成されていることが好ましい。
【００１４】
これらコイン計数装置の案内ブレードにおいて、前記斜面は、下端縁が円弧状に形成されていることが好ましい。
【考案の効果】
【００１５】
前記構成によると、コイン計数装置の回転円盤により運ばれ、計数手段に送る予定のコインは、本考案の案内ブレードの峯部に乗って通過しや後、計数手段に運ばれる。そのため、コインが本考案の案内ブレードの峯部に設けられている段差部を通過する時に生じる振動を利用して、重なっている余分なコインを振り落とすことができる。そして、例えその振動で余分なコインを振り落とせなかったとしても、計数手段に送る予定のコインが阻止ブロックと回転円盤の表面の間にある一枚のコインだけを通過可能な隙間を通過する時、重なっている余分なコインの更なる前進を阻止することができる。
【００１６】
即ち、本考案は単一の案内ブレードを用いてコインを確実に一枚ずつ計数手段及びコイン出口に送ることができるので、従来のコイン計数装置のように、可撓性を有する材料で製造された掻き分けプレートや掻き分けロッドと同等の効果を発揮しながら、材料の疲労によって引き起こされる故障や欠点を解消できる。
【考案を実施するための最良の形態】
【００１７】
以下、図面を参照しながら、本考案の好ましい実施形態について詳しく説明する。
【００１８】
図２は、本考案の案内ブレードを用いるコイン計数装置２の要部構成を示す概略図である。まず、コイン計数装置２は、計数手段２６と、計数済みのコインがコイン収容空間外へ排出されるコイン出口２２１と、コイン収容空間の底面として斜めに配置され、駆動手段（図示せず）の駆動により回転（図中では反時計方向に回転する）し、コイン収容空間内に収容されるコイン３００を、計数手段２６及びコイン出口２２１へ搬送する回転円盤２３を有する搬送手段と、搬送手段より運ばれるコイン３００が確実に一枚ずつ搬送手段より計数手段２６及びコイン出口２２１へ搬送されること確保する案内ブレード３とを備えている。
【００１９】
また、本考案のコイン計数装置は、従来のコイン計数装置と同様に、コインを収容するために、回転円盤２３の外周には、更にコインを収容する空間を囲む環状フェンスが設けられているが、図中では省略している。
【００２０】
回転円盤２３のコイン収容空間を臨む表面２３１の周縁近傍には、その幅がコイン収容空間内に収容されるコイン３００の直径よりやや広い円環状の凹陥部２３２が形成されている。そして、この凹陥部２３２には、コイン３００の直径よりやや広い間隔で、周方向に複数の仕切りスタッド２３５，２３５…が設けられ、これら仕切りスタッド２３５，２３５…により、それぞれ一枚分のコイン３００を格納できる複数の格納スロット２３４，２３４…に仕切られている。
【００２１】
コイン収容空間内に収容されているコイン３００は、図２に示すように、下面が回転円盤２３の表面２３１と向き合うようにそれぞれの格納スロット２３４，２３４…内に格納される。そして、回転円盤２３の回転によって計数手段２６へ搬送されてカウントされた後、コイン出口２２１からコイン収容空間外に排出される。
【００２２】
本考案の案内ブレード３は、図２に示すように、コイン出口２２１の下端に取り付けられ、コイン３００が搬送されてくる方向（回転円盤２３の回転方向と逆向き）に向かって、回転円盤２３の凹陥部２３２の内壁面（内側縁）２３３まで掛けられた橋のように延伸し、先端３１が先細に尖って形成されている。これにより、凹陥部２３２の各格納スロット２３４，２３４…に格納されているコイン３００は、先端３１から本考案の案内ブレード３の峯部３２に乗せられて該峯部３２を通過した後、計数手段２６及びコイン出口２２１に搬送される。
【００２３】
図３、図４及び図５は、それぞれ本考案の案内ブレード３の構成を示す側面図や斜視図である。図３、図４、図５を図２と併せて参照してみると、コイン３００が確実に一枚ずつ搬送手段より計数手段２６及びコイン出口２２１へ搬送されることを確保するため、本考案の案内ブレード３には、峯部３２が形成されている。この峯部３２には、先端３１寄りの部分がより高く、コイン出口２２１寄りの部分が低く凹陥して（窪んで）形成された段差部３５と、回転円盤２３の凹陥部２３２の底面との間に、図５で双頭矢印で示すコイン３００一枚の厚さ以上で２枚の厚さ以下の、一枚分のコイン３００だけを通らせる隙間Ｓを有するように形成された阻止ブロック３３とが、案内ブレード３の先端３１からコイン出口２２１への進行方向に沿って順番に設けられている。
【００２４】
この構成によって、回転円盤２３の各格納スロット２３４，２３４…により運ばれてきてコイン計数装置の計数手段２６に送ろうとするコイン３００は、本考案の案内ブレード３の峯部３２に乗って通過してから計数手段２６に運ばれる。この際、図６に示すように、該コイン３００が本考案の案内ブレード３の峯部３２に設けられている段差部３５を通過する時に生じる振動を利用して、重なっている余分なコイン３００ａを振り落とすことができる。更に、例えその振動では該余分なコイン３００ａを振り落とせなかったとしても、その余分なコイン３００ａは、図７に示すように、その前進が阻止ブロック３３に阻止される。即ち、余分なコイン３００ａは、計数手段２６に入る前に阻止ブロック３３と回転円盤２３の凹陥部２３２の底面とに挟まれ、一枚分のコイン３００だけを通らせる隙間Ｓに進入することが出来ない。
【００２５】
更に、段差部３５による振動に振り落とされ、または、前進が阻止ブロック３３に阻止された余分なコイン３００ａをスムーズに回転円盤２３の下端部に戻すため、図５、図６に示すように、本考案の案内ブレード３の、段差部３５より先端３１側の部分は、コイン３００が転がるブレード３の峯部３２の幅を一枚のコインの厚さより僅かに細く形成され、峯部３２の側面は、下へ傾斜する斜面３６をなすよう形成している。しかも、段差部３５より阻止ブロック３３側へ延びる部分は、峯部３２の側面をブレード３の峯部３２から下へ傾斜する斜面となるようにし、かつ、峯部３２の幅は、阻止ブロック３３側に向けて徐々に広がるとともに、前記斜面は緩やかな曲面３７に形成されている。
【００２６】
これら斜面３６と曲面３７は、段差部３５より振り落とされ、または、前進が阻止ブロック３３に阻止された余分なコイン３００ａを案内して、回転円盤２３の下端部へスムーズに戻すことができる。
【００２７】
さらに、本考案の案内ブレード３における斜面３６と曲面３７は、下端縁３８が内壁面２３３及び回転円盤２３の回転を妨げないよう、回転円盤２３の凹陥部２３２の内壁面２３３に対応する円弧状に形成されている。
【００２８】
前記のように、本考案の案内ブレードは、前記従来のコイン計数装置が持つ可撓性を有する材料で製造された掻き分けプレートや掻き分けロッドと同等の効果を発揮しながら、材料の疲労によって引き起こされる故障や欠点を解消できる。そのため、回転円盤を使用するコイン計数装置に使用することができる。
【図面の簡単な説明】
【００２９】
【図１】従来のコイン計数装置の一例の要部構成を示す概略図。
【図２】本考案の案内ブレードを用いるコイン計数装置の要部構成を示す概略図。
【図３】本考案の案内ブレードの構成を示す側面図。
【図４】本考案の案内ブレードの構成を示す斜視図。
【図５】本考案の案内ブレードの構成を示す斜視図。
【図６】コインが本考案の案内ブレードの段差部を通過する状態を示す側面図。
【図７】コインの前進が本考案の案内ブレードの阻止ブロックに阻止される状態を示す斜視図。
【符号の説明】
【００３０】
２  コイン計数装置
２２１  コイン出口
２３  回転円盤
２３１  表面
２３２  凹陥部（環状溝）
２３３  内壁面（内側縁）
２３４  格納スロット
２３５  仕切りスタッド
２６  計数手段
３  案内ブレード
３００  コイン
３００ａ  余分なコイン
３１  先端
３２  峯部
３３  阻止ブロック
３５  段差部
３６  斜面
３７  曲面
３８  下端縁
【図１】
0003142014.tif 000003
【図２】
0003142014.tif 000004
【図３】
0003142014.tif 000005
【図４】
0003142014.tif 000006
【図５】
0003142014.tif 000007
【図６】
0003142014.tif 000008
【図７】
0003142014.tif 000009